(57)【特許請求の範囲】
【請求項１】
燃焼機器本体と、この燃焼機器本体で発生するドレン水を中和する中和容器と、前記ドレン水を中和容器に導くドレン配管とを有する燃焼機器と、
この燃焼機器によってお湯張りまたは追焚きされる浴槽と、
この浴槽が載置され、前記浴槽の湯水又は入浴で使用した湯水が排出される浴室床面と、
前記燃焼機器本体が設置される浴室壁とを備え、
前記中和容器が、前記燃焼機器本体の外部の前記浴室床面の領域に設置され、
中和後のドレン水が、前記中和容器から前記浴室床面に排出される燃焼機器の設置構造であって、
前記中和容器が、ドレン水が導入される流入口と、このドレン水用の中和剤が充填された中和室と、この中和室の下流に設けられる流出口と、この流出口の下流の予備室と、この予備室に設けられドレン水を前記浴室床面に排出する排出口と、前記予備室の前記排出口よりも高い位置に設けられる予備排出口とを有し、
前記流入口には、前記中和室内の中和剤が流入口から流出しないように流路を狭くした流入口スリットが設けられ、
前記流出口には、前記中和室内の中和剤が流出口から流出しないように流路を狭くした流出口スリットが設けられ、
前記予備排出口が、前記流入口スリットよりも低い位置に設けられ、
前記浴室床面に排出された前記湯水により、前記排出口が塞がれた場合、前記予備排出口から、前記ドレン水が排出される燃焼機器の設置構造。
【請求項２】
請求項１において、
予備排出口が、浴室床面から１００ｍｍ以内の高さに設けられる燃焼機器の設置構造。
【請求項３】
請求項１又は２において、
前記中和容器の流入口と流出口との間に上下方向に設けられた仕切り壁を有することを特徴とする燃焼機器の設置構造。
【発明の詳細な説明】
【技術分野】
【０００１】
本発明は、燃焼機器のドレン水処理を行う燃焼機器の設置構造に関する。
【背景技術】
【０００２】
近年、燃焼機器への高効率化の要求の高まりから、いわゆる潜熱回収型の燃焼機器が普及している。このような、潜熱回収型の燃焼機器は、燃焼ガスからの顕熱を回収する際に、排気ガス中の硫黄成分等を含んだ強酸性のドレン水が発生する。このため、発生したドレン水は、中和容器に導かれ、中和後に排出される。
【０００３】
ところで、この中和容器を燃焼機器本体の内部に設置しようとすると、そのためのスペースが燃焼機器本体の内部に必要となり、機器の小型化の支障になる問題がある。また、中和容器から排出されるドレン水を排水口等に導くために、専用の配管を設ける必要が生じる。さらに、中和剤が消耗した場合は、中和が不十分なまま排出される可能性が考えられる。
【０００４】
そこで、図２、図３に示すように、中和容器１を燃焼機器本体３の外部である浴室４８内に設置する燃焼機器の設置構造が考えられている（特許文献１、２）。これらによれば、燃焼機器本体３を小型にすることができ、さらに、中和剤が消耗した場合等により、万が一、中和が不十分となった場合でも、ドレン水が浴室４８で使用した湯水や石鹸水により希釈、中和されるので、ドレン水が中和不十分のまま流出されるのを抑制することができる。
【特許文献１】特開２００７−０８５５８４号公報
【特許文献２】特開２００７−２７８５９２号公報
【発明の開示】
【発明が解決しようとする課題】
【０００５】
しかしながら、特許文献１、２の場合のように、中和容器１を浴室４８内に設置した場合、中和容器１の排出口３８と浴室床面２５が近いと、浴室で使用した湯水が捨てられて、一時的に浴室床面２５上の水位が上昇した際に、中和容器１の排出口３８を塞いでしまうことがある。このように、一時的でも中和容器１の排出口３８が塞がれると、ドレン水の上流から下流への流れが停滞し、ひどい場合は逆流することとなり、ドレン水のレベルが上昇することから、異常と検出され、燃焼機器の運転にも支障を及ぼすことがある。
【０００６】
また、潜熱回収型の燃焼機器においては、潜熱回収を行う燃焼機器の運転を行っている間は、常にドレン水が発生し、中和容器１からドレン水が排出される。このため、中和容器１から排出されるドレン水が滴下される位置が、浴室床面２５から距離が離れていると、ドレン水が浴室床面に滴下する音が生じことがあり、使用者が不快に感じることがある。
【０００７】
本発明は、上記課題を解決するためになされたものであり、浴室床面に湯水が排出され、浴室床面の水位が上昇して中和容器の排出口が塞がれても、ドレン水の流れを妨げることがなく、ドレン水の水位が異常と検出されて、燃焼機器の運転に支障を及ぼすことを抑制することが可能な燃焼機器の設置構造を提供することを目的とする。また、中和容器の排出口から排出されるドレン水の滴下音を抑えることができ、使用者が不快に感じることのない燃焼装置の設置構造を提供することを目的とする。
【課題を解決するための手段】
【０００８】
本発明は以下のものに関する。
（１）  燃焼機器本体と、この燃焼機器本体で発生するドレン水を中和する中和容器と、前記ドレン水を中和容器に導くドレン配管とを有する燃焼機器と、この燃焼機器によってお湯張りまたは追焚きされる浴槽と、この浴槽が載置され、前記浴槽の湯水又は入浴で使用した湯水が排出される浴室床面と、前記燃焼機器本体が設置される浴室壁とを備え、前記中和容器が、前記燃焼機器本体の外部の前記浴室床面の領域に設置され、中和後のドレン水が、前記中和容器から前記浴室床面に排出される燃焼機器の設置構造であって、前記中和容器が、ドレン水が導入される流入口と、このドレン水用の中和剤が充填された中和室と、この中和室の下流に設けられる流出口と、この流出口の下流の予備室と、この予備室に設けられドレン水を前記浴室床面に排出する排出口と、前記予備室の前記排出口よりも高い位置に設けられる予備排出口とを有し、前記流入口には、前記中和室内の中和剤が流入口から流出しないように流路を狭くした流入口スリットが設けられ、前記流出口には、前記中和室内の中和剤が流出口から流出しないように流路を狭くした流出口スリットが設けられ、前記予備排出口が、前記流入口スリットよりも低い位置に設けられ、前記浴室床面に排出された前記湯水により、前記排出口が塞がれた場合、前記予備排出口から、前記ドレン水が排出される燃焼機器の設置構造。
（２）  項１において、予備排出口が、浴室床面から１００ｍｍ以内の高さに設けられる燃焼機器の設置構造。
（３）  項１又は２において、
前記中和容器の流入口と流出口との間に上下方向に設けられた仕切り壁を有することを特徴とする燃焼機器の設置構造。
【発明の効果】
【０００９】
本発明によれば、浴室床面に湯水が排出され、浴室床面の水位が上昇して中和容器の排出口が塞がれても、ドレン水の流れを妨げることがなく、ドレン水の水位が異常と検出されて、燃焼機器の運転に支障を及ぼすことを抑制することが可能な燃焼機器の設置構造を提供することができる。また、中和容器の排出口から排出されるドレン水の滴下音を抑えることができ、使用者が不快に感じることのない燃焼装置の設置構造を提供することができる。
さらに、流入口及び流出口に流路を狭くした流入口スリット及び流出口スリットが設けられていることにより、中和室内の中和剤が流出しない。
また、予備排出口が、流入口スリットよりも低い位置に設けられていることによって、浴室床面の水位が上昇し、中和容器の排出口が塞がれた際にも、流入口スリットから中和室、流出口スリットを通り、予備排出口へ続くドレン水の流れが、妨げられないようにすることができる。
加えて、予備排出口が、予備室内に設けられることによって、中和容器の排出口が塞がれた際にも、ドレン水は必ず流出口スリットを通るため、中和剤がドレン水の流出を妨げることを抑制できる。
【発明を実施するための最良の形態】
【００１０】
本発明に係る燃焼機器の設置構造を適用可能な浴室は、ユニットタイプの浴室はもちろんのこと、床、壁をタイル等で施工し、浴槽を設置した在来工法の浴室も含まれる。図２に示すように、特に、在来工法でＢＦ釜を使用していた浴室を、壁貫通釜を使用するためのリフォームを行った浴室４８に適用すれば、比較的容量があり十分な中和処理寿命を備えた中和容器１を備えつつ、浴室壁４の開口スペース５内に設置するという寸法制約を満足することができるため、有効である。
【００１１】
なお、ＢＦ釜とは、燃焼機器の一種で、主に集合住宅用に設置され、浴槽横に設置されるバランス式風呂釜を言う。また、壁貫通釜とは、潜熱回収型の燃焼機器の一種であり、このＢＦ釜の取替え用として、浴室壁に開口されたＢＦ釜の給排気筒設置部にＢＦ釜の機能を全て移管し、従来ＢＦ釜が存在したスペースを空き空間とすることを可能とした燃焼機器を言う。
【００１２】
本発明で使用する燃焼機器は、ドレン水を排出する潜熱回収型の燃焼機器であればよく、図４に示す浴室壁４の屋外側に掛けて設置する壁掛けタイプの燃焼機器６０や、図３に示す上述した浴室壁４の開口スペース５に設置する壁貫通釜が使用できる。以下、主に壁貫通釜を例として、本発明について説明するが、本発明の設置構造は、ドレン水を排出する潜熱回収型の燃焼機器全般に適用できるものであり、壁貫通釜以外に、上述した浴室壁４の屋外側に掛けて設置するいわゆる壁掛けタイプの燃焼機器６０にも適用できる。
【００１３】
図１に基づいて、本発明に使用する燃焼機器の動作原理を説明する。まず、湯水の流れについて説明する。湯水が燃焼機器本体３の給水配管接続部２７から給水され、水量センサ３３によって、この湯水が所定の流量に達したか否かが検知される。水量センサ３３を通った湯水は、二次熱交換器８に導かれ、この二次熱交換器８で排気ガスから潜熱を回収する。この潜熱を回収した湯水は、一次熱交換器１０に導かれ、この一次熱交換器１０で燃焼ガスからの顕熱を回収する。この顕熱を回収した湯水は、混合弁で所定の温度の湯水とされた後、給湯栓から使用される。
【００１４】
次に、燃料ガスの流れについて説明する。燃料ガスは、ガス配管接続部２９からバーナ１１へ供給されて燃焼し、高温の燃焼ガスを発生させる。その燃焼ガスは、まず、給湯一次熱交換器１０を通過し、その際に顕熱を放熱する。顕熱を放熱した後の低温の燃焼ガスは、排気ガスとなる。次に、この排気ガスは二次熱交換器８を通過し、その際に潜熱を放熱する。そして、潜熱を放熱した排気ガスは、排気口３４から器具外へ排気される。
【００１５】
次に、ドレン水９の流れについて説明する。二次熱交換器８で排気ガスから潜熱が回収されると、排気ガスの温度は、２００℃程度から約６０℃程度まで低下する。これとともに、排気ガスに含まれる水蒸気が凝縮し、二次熱交換器８には結露水が発生する。この結露水は排気ガス中の硫黄成分等を含んでＰＨ２程度の強酸性のドレン水９となる。このため、二次熱交換器８で発生したこのドレン水９は、それを回収するためのドレン受け皿３７にて回収され、内部ドレン配管７に流入する。そして、ドレン配管接続部３２を介して、外部ドレン配管３６を通った後、炭酸カルシウム４４を充填した中和容器１に流入する。中和容器１内で中和されたドレン水９は中和容器１の排出口３８からＰＨ７程度となり排出される。
【００１６】
壁貫通釜は、上述したように、ドレン水を排出する潜熱回収型の給湯器の一種である。図２は、この壁貫通釜本体３を在来工法の浴室４８に設置した浴室４８の設置例図であり、浴室４８の洗い場側（浴槽長手面）からの見たときの透視図である。壁貫通釜本体３に接続される配管の例としては、壁貫通釜本体３に水を供給する給水配管１２と、壁貫通釜本体３で加熱された湯を浴室内に供給する給湯配管１３と、壁貫通釜本体３に燃料を供給するガス配管１４と、浴槽水を循環加熱するための風呂往き配管１５と、風呂戻り配管１６と、外部ドレン配管３６が挙げられる。
【００１７】
外部ドレン配管３６は、壁貫通釜本体３から中和容器１に接続されている。壁貫通釜本体３は寸法制約がある一方で、中和処理には１０年以上の寿命が要求され、ある程度の容量の中和容器１が必要となるため、中和容器１を本体３内に内蔵するのが難しい。このため、図２の例のように、ドレン水を中和するための中和容器１を外部に設けた場合は、外部ドレン配管３６によって、壁貫通釜本体３と外部の中和容器１が接続され、潜熱回収の際に凝縮した強酸性のドレン水が中和容器１に導かれる。中和容器１は、壁貫通釜本体３の外部の浴室床面２５の領域に設置される。浴室床面２５内の領域とは、浴室床面２５を上方からみたときの領域を言う。このため、浴室床面２５の領域に設置されるとは、浴室床面２５の上方から見て中和容器１の全体又は一部が浴室床面２５の領域に含まれる状態を言い、浴室床面２５の側面から見て浴室床面の上に中和容器１が直接載置されている場合、及び、中和容器１が浴室床面２５から離れた上方に設置されている場合の何れも含む。この際、中和容器１をなるべくエプロン１７の近くに設置した場合は、中和容器１内の中和剤４４である炭酸カルシウム４４の残量の確認と補充作業を、エプロン１７を外すのみで行うことができ、利便性が増す。
【００１８】
前記風呂往き配管１５と前記風呂戻り配管１６は、浴槽５７に取付けられた循環金具（図示しない）に接続されている。前記給湯配管１３は、前記浴槽５７の上縁面に設置された水栓（図示しない）に接続される。前記浴槽５７には、脱着可能なエプロン１７を取付けるのが好ましい。これにより、中和剤４４の交換等のメンテナンスの作業性が改善する。
【００１９】
図３は、前記図２の浴室を浴槽短手方向から見たときの透視図である。壁貫通釜本体３の下側には、給水配管１２と、給湯配管１３と、ガス配管１４と、風呂往き配管１５と、風呂戻り配管１６と、外部ドレン配管３６を有している。本体前カバー２４、エプロン１７は脱着可能とするのが好ましい。これにより、器具設置時やメンテナンス時等に取り外すことができ、作業性が改善する。
【００２０】
給水、給湯、ガス等の配管類がすべて浴室４８内で完結され、メンテナンス等も全て浴室４８内からの作業となる。また、燃焼用空気は屋外から吸気口５８から壁貫通釜本体３内に吸気され、燃焼排ガスは排気口３４により屋外で排出される。
【００２１】
壁貫通釜本体３の中で燃焼排ガスの潜熱回収の際の凝縮によって生じたドレン水９は、燃焼排ガスの硫黄成分を吸収して強酸性となっているが、図１に示すように、壁貫通釜本体３内に設けられたドレン受け皿３７に集められ、内部ドレン配管７、外部ドレン配管３６を通って中和容器１へと流下し、そこで中和処理された後、排出口３８を通って排出される。このため、中和容器１の配置は、壁貫通釜本体３から中和容器１への外部ドレン配管３６の下り勾配を確保するように設けられ、かつ、排出口３８の末端は下向きに開放されていることが好ましい。これにより、ドレン水９の中和容器１への導入と排出口３８を通したドレン水９の排出が容易となる。
【００２２】
排出口３８は、中和容器１から中和後のドレン水を排出するものであり、浴室床面２５に向けて開放されている。これにより、浴室床面２５にドレン水を排出する。
【００２３】
また、図２、図３に示すように、この中和容器１の排出口３８は、浴室床面２５と、浴槽５７と、浴室壁４とで囲まれた空間に開放されるのが望ましい。これにより、中和されたドレン水９は給湯排水や入浴に使用した石鹸を含む湯水と同一の排水経路で排出することができ、中和容器１から排出されるドレン水９のための配管をわざわざ設ける必要がない。また、万が一、中和容器１内の中和剤４４が経年劣化し、ドレン水９の中和が不十分であったとしても、給湯排水で希釈され、石鹸水で中和されるので、未処理のまま排出されてしまうことを防止できる。
【００２４】
本発明の浴室床面２５は、その上面に浴槽５７を載置したり、使用者の洗い場となるものであり、その材質は特に限定されるものではなく、タイル、コンクリート、木材等の在来工法で使用されるものを用いることができる。また、浴室ユニット用の防水パンを使用してもよく、その場合もその材質は限定されるものではなく、ＳＭＣ、ＢＭＣ等を用いた繊維強化プラスチック、鉄、アルミ、ステンレス等の金属、又は、これらの複合成形品を用いることができる。
【００２５】
浴室床面２５の構造も特に限定しないが、給湯排水、入浴に使用した石鹸水、及び排出口３８から排出されるドレン水９が同一箇所に集まって、混合されるような傾斜構造、及び同一の排水口（図示しない。）を有していることが好ましい。これにより、給湯排水、石鹸水による中和されたドレン水の希釈、中和が確実に行なわれる。
【００２６】
本発明に用いる浴槽５７は、浴室床面２５の上面に載置した際に、浴槽５７の外側（但し、上縁面部分を含まず）と浴室壁４との間に、少なくとも６０ｍｍ程度の隙間ができる形状のものであることが好ましい。これにより、本体前カバー２４、中和容器１、及び各種の配管類（給水配管１２、給湯配管１３、ガス配管１４、風呂往き配管１５、風呂戻り配管１６、外部ドレン配管３６）を、その空間に収納することができる。また、その材質は特に限定されるものではなく、ＳＭＣ、ＢＭＣ等を用いた繊維強化プラスチック、鉄、アルミ、ステンレス等の金属、又は、これらの複合成形品を用いることができる。
【００２７】
なお、ＢＦ釜の給排気口を設置するために浴室壁４に設ける開口スペース５の位置は、一般に浴室床面２５から開口スペース５下面まで約３００ｍｍであるため、この開口スペース５に設置される壁貫通釜本体３の配管接続位置５９よりも低くなるように、中和容器１の流入口４３の位置を設定する。例えば、図２、図３のように、壁貫通釜本体３の前カバー２４にドレン配管接続部３２を設けた場合は、一般に、配管接続位置５９は、浴室床面２５から約４００ｍｍに位置する。ドレン水９を中和容器１に導入する流入口４３の高さは、壁貫通釜本体３から排出されるドレン水９を中和容器１内へ導き入れるため、壁貫通釜本体３の配管接続位置５９より低くしなければならない。このため、流入口４３の高さは、浴室床面２５から３５０ｍｍ以下とするのが望ましい。なお、これは一例であり、壁貫通釜本体３に設けられるドレン配管接続部３２の位置や、浴室床面２５の高さによって変わるものである。外部ドレン配管３６の配管接続位置５９から、中和容器１の流入口４３にドレン水９を導く外部ドレン配管３６が下り勾配を確保できれば、特に限定されない。
【００２８】
中和容器１のサイズは、その厚みを５０ｍｍ以下、高さを浴室床面２５から浴槽５７上縁面の裏面までの長さの範囲以内とする。また、幅を２５０ｍｍ以下とするのが望ましく、さらには１５０ｍｍ以下とするのが望ましい。幅を１５０ｍｍ以下とすると、壁貫通釜が設置された浴室壁４に隣接して中和容器１を設置しようとすると、壁貫通釜が設置された浴室壁４と直交する浴室壁４と壁貫通釜本体３との隙間が狭いことがあるため、このような設置条件に対応できるようにすることができる。これにより、壁貫通釜本体３から中和容器１への外部ドレン配管３６の勾配を確保しつつ、中和容器１を、浴室床面２５と、浴槽５７と、浴室壁４との間隙に設置することが可能となり、壁貫通釜本体３の中に内蔵しなくてもよくなる。その結果、壁貫通釜本体３のサイズを拡大する必要がなく、省スペースである利点を生かすことができる。
【００２９】
中和容器１の容量は、特に限定はないが、ドレン水９の中和剤として、内部に約２ｋｇの粒状炭酸カルシウムを封入できる容積とするのが好ましい。これにより、中和処理の寿命を十分に確保することができ、中和剤４４の点検、補充のためのメンテンスの頻度を減らすことができる。
【００３０】
図５に示すように、中和容器１の材質は耐食性に優れたものでなければならないため、耐食性に強い金属またはプラスチックが用いられる。加工性や組立性を考慮すると、プラスチックが好適に用いられる。また、中和容器１の上部には炭酸カルシウム４４を中和容器１内へ入れるための蓋５４が設けられている。この蓋５４は開閉可能な形状であることがメンテナンスの作業性の点から好ましい。
【００３１】
壁貫通釜本体３、その本体前カバー２４、壁貫通釜本体３に接続される各種配管（給水配管１２、給湯配管１３、ガス配管１４、風呂往き配管１５、風呂戻り配管１６、外部ドレン配管３６）、中和容器１、排出口３８は、浴槽５７と浴室壁４の隙間に取付けられるのが好ましい。これにより、中和容器１内の中和剤４４を確認、補充する際は、エプロン１７と浴槽５７の上縁面に設置された水栓（図示しない。）の配管を外し、浴槽５７を引出すだけで、中和容器１が露出する。このため、本発明によれば、従来必要になっていた、各種配管を全て取り外し、本体前カバー２４を開け、中和容器１を引き出すという作業が不要になる。このため、中和剤４４の劣化の有無の確認や、必要な場合の中和剤４４の交換、補給等のメンテナンスが、従来に比べて格段に容易になる。
【００３２】
図５〜７に示すように、中和容器１は、その一方の側面に設けられたドレン水９の流入口４３と、中和室５１内の中和剤４４が流入口４３から流出しないように流路を狭くした流入口スリット５２と、この導入されたドレン水９を中和する中和剤４４と、他方の側面に設けられた中和後のドレン水９を流出する流出口４５と、中和室５１内の中和剤４４が流出口４５から流出しないように流路を狭くした流出口スリット５５と、この流出口スリット５５から流出するドレン水９を受ける予備室４７と、この予備室４７からドレン水９を浴室床面２５に排出する排出口３８と、この排出口３８よりも上方に設けられた予備排出口３９と、中和容器１の幅方向における流入口４３と流出口４５との間に上下方向に設けられた仕切り壁４６とを有する。
【００３３】
図３に示すように、ドレン水９が中和容器１に到るまでの流路（壁貫通釜本体３内、または、外部ドレン配管３６、等）に排気ガスのトラップ６３が設けられている場合は、図５に示すように、仕切り壁４６は、中和容器１の天部４０及び底部４１の手前まで到るように設けられる。即ち、中和容器１内には、トラップが形成されないようにする。中和剤４４の投入口４９は、天部４０の一部に、仕切り壁４６を跨ぐように開口４２を形成して設けられる。これにより、中和剤４４の投入口４９がひとつであっても、仕切り壁４６の両側に中和剤４４の投入が可能でメンテナンス作業をし易くすることができる。
【００３４】
一方、ドレン水９が中和容器１に到るまでの流路に排気ガスのトラップが設けられていない場合は、仕切り壁４６は、中和容器１の天部４０から、底部４１の手前まで到るように設けられる（図示しない。）。即ち、中和容器１内に、トラップが形成されるようにする。この場合、中和剤４４の投入口４９は、仕切り壁４６で仕切られた中和室５１毎に、天部４０に開口（図示しない。）を形成して設けられる。これにより、各中和室５１への中和剤４４の投入を容易にする。
【００３５】
図５、図６に示すように、ドレン水９の流入口４３とは、ドレン配管接続口５０とは異なり、中和剤４４が充填され、中和処理が行われる中和室５１にドレン水９が導入される部位をいう。具体的には、中和室５１内の中和剤４４が外部に流出しないように、流路を狭くしたスリット５２が該当する。図５、図７に示すように、ドレン水９の流出口４５とは、中和剤４４が充填され、中和処理が行われる中和室５１からドレン水９が予備室４７に流出する部位をいい、具体的には、中和室５１内の中和剤４４が外部に流出しないように、流路を狭くしたスリット５５が該当する。中和剤４４の投入口４９とは、中和容器１の天部４０の一部に設けられた開口４２をいい、この投入口４９の外周から上方に向かって外壁を立ち上がらせて、蓋５４を取付けるための蓋取付け部５３が設けられる。
【００３６】
図５、図７に示すように、流出口４５（スリット５２）の下流の予備室４７には、中和後のドレン水９を浴室床面２５に流出させるための排出口３８が設けられるが、この排出口３８よりも高い位置に予備排出口３９を設ける。中和容器１を浴室内に設置した場合、中和容器１の排出口３８と浴室床面２５が近いと、浴室４８で使用した湯水が捨てられた際、一時的に浴室床面２５上の水位が上昇し、中和容器１の排出口３８を塞いでしまうことがある。このように、一時的でも中和容器１の排出口３８が塞がれると、ドレン水９の上流から下流への流れが停滞し、ひどい場合は逆流することとなり、ドレン水９のレベルが上昇することから、異常と検出され、燃焼機器の運転に支障を及ぼすことがある。しかしながら、上記のように、排出口３８よりも高い位置に予備排出口３９を設けることで、浴室床面２５上の水位が上昇し、中和容器１の排出口３８が塞がれても、ドレン水９の流れを妨げることがなく、異常と検出されたり、燃焼機器の運転に支障を及ぼすのを抑制することができる。
【００３７】
図５に示すように、予備排出口３９の上端は、流入口スリット５２の下端よりも低い位置となるように設けるのが望ましい。これにより、浴室床面２５上の水位が上昇し、中和容器１の排出口３８が塞がれた際にも、流入口スリット５２から中和室５１、流出口スリット５５を通り、予備排出口３９へ続くドレン水９の流れが、妨げられないようにすることができる。また、予備排出口３９は、予備室４７内に設けるのが望ましい。これにより、中和容器１の排出口３８が塞がれた際にも、ドレン水９は必ず流出口スリット５５を通るため、中和剤４４がドレン水９の流出を妨げることを抑制できる。
【００３８】
図５、図７に示すように、排出口３８は、浴室床面２５に近い位置に設けるのが望ましい。排出口３８からは、燃焼機器の二次熱交換器８を使用して潜熱回収をする運転をしている間、常にドレン水９が流出するため、滴下音を抑えるためには、特に浴室床面２５から１００ｍｍ以内にするのが望ましい。これにより、中和後のドレン水９が排出口３８から浴室床面２５等に流出しても、滴下音を抑制することができ、使用者に不快感を与えるのを抑制することができる。
【実施例】
【００３９】
以下、本発明の実施例について図面を用いて説明する。なお、本発明は、本実施例に限定されない。
【００４０】
図１は、本実施例の基本構成と動作原理を示す。図２は、壁貫通釜本体３を在来工法の浴室４８に設置した浴室４８の設置例図であり、浴室４８の洗い場側（浴槽長手面）からの見たときの透視図である。図３は、図２の浴室を浴槽短手方向から見たときの透視図である。壁貫通釜本体３には、壁貫通釜本体３に水を供給する給水配管１２と、壁貫通釜本体３で加熱された湯を浴室内に供給する給湯配管１３と、壁貫通釜本体３に燃料を供給するガス配管１４と、浴槽水を循環加熱するための風呂往き配管１５と、風呂戻り配管１６と、外部ドレン配管３６が接続される。
【００４１】
風呂往き配管１５と風呂戻り配管１６は、浴槽５７に取付けられた循環金具（図示しない）に接続されている。給湯配管１３は、浴槽５７の上縁面に設置された水栓（図示しない）に接続される。浴槽５７には、脱着可能なエプロン１７を取付ける。
【００４２】
給水、給湯、ガス等の配管類がすべて浴室４８内で完結され、メンテナンス等も全て浴室４８内からの作業となる。また、燃焼用空気は屋外から吸気口５８から壁貫通釜本体３内に吸気され、燃焼排ガスは排気口３４により屋外で排出される。
【００４３】
図１に示すように、壁貫通釜本体３の中で燃焼排ガスの潜熱回収の際の凝縮によって生じたドレン水９は、燃焼排ガスの硫黄成分を吸収して強酸性となっているが、壁貫通釜本体３内に設けられたドレン受け皿３７に集められ、内部ドレン配管７、外部ドレン配管３６を通って中和容器１へと流下し、そこで中和処理された後、排出口３８を通って排出される。このため、中和容器１の配置は、壁貫通釜本体３から中和容器１への外部ドレン配管３６の下り勾配を確保するように設けられ、かつ、排出口３８の末端は下向きに開放されている。
【００４４】
図２、図３に示すように、排出口３８は、中和容器１から中和後のドレン水を排出するものであり、浴室床面２５に向けて開放されている。これにより、浴室床面２５にドレン水を排出する。この中和容器１の排出口３８は、浴室床面２５と、浴槽５７と、浴室壁４とで囲まれた空間に開放される。これにより、中和されたドレン水９は給湯排水や入浴に使用した石鹸を含む湯水と同一の排水経路で排出することができ、中和容器１から排出されるドレン水９のための配管をわざわざ設ける必要がない。また、万が一、中和容器１内の中和剤４４が経年劣化し、ドレン水９の中和が不十分であったとしても、給湯排水で希釈され、石鹸水で中和されるので、未処理のまま排出されてしまうことを防止できる。
【００４５】
浴室床面２５は、タイルを用いて施工した。また、給湯排水、入浴に使用した石鹸水、及び排出口３８から排出される中和されたドレン水が同一箇所に集まって、混合されるような傾斜構造とし、排出口を一箇所としている。これにより、給湯排水、石鹸水による中和されたドレン水の希釈、中和が確実に行なわれる。
【００４６】
浴槽５７は、浴室床面２５の上面に載置した際に、浴槽５７の外側と浴室壁４との間に、浴槽上縁部を除いて、最も狭い箇所でも６０ｍｍ程度の隙間ができる形状のものとした。これにより、本体前カバー２４、及び中和容器１、各種の配管類（給水配管１２、給湯配管１３、ガス配管１４、風呂往き配管１５、風呂戻り配管１６、外部ドレン配管３６）をその空間に収納できる。また、その材質は、ＳＭＣを用いた繊維強化プラスチック成形品を用いている。
【００４７】
中和容器１のサイズは、その厚みを４６．５ｍｍ、高さを３１５ｍｍ、幅を１４４ｍｍとしている。これによって、浴室床面２５と浴槽５７と浴室壁４との間隙に設置することができる。また、中和容器１を壁貫通釜本体３の中に内蔵しなくてもよいので、その結果、壁貫通釜本体３のサイズを拡大する必要がなく、省スペースである利点を生かすことができる。
【００４８】
中和容器１には、中和剤４４の寿命を十分に長くすることができるよう、内部に約２ｋｇの粒状炭酸カルシウム４４を封入する。これにより、メンテナンスの頻度を減らすことができる。また、中和容器１の材質はプラスチックを用い、中和容器１の上部には炭酸カルシウム４４を中和容器１内へ入れるための開閉可能な蓋５４を設けている。これにより、メンテナンスの作業性が改善する。
【００４９】
開口スペース５に設置した壁貫通釜本体３には、浴室床面２５から約４００ｍｍの高さを確保するように、配管接続位置５９を設けた。また、中和容器１には、配管接続位置５９から下り勾配を確保できる位置に、ドレン配管接続口５０を設けた。このドレン配管接続口５０の浴室床面２５からの高さは約３５０ｍｍであった。
【００５０】
図５〜７に示すように、中和容器１は、その一方の側面に設けられたドレン水９の流入口４３と、中和室５１内の中和剤４４が流入口４３から流出しないように流路を狭くした流入口スリット５２と、この導入されたドレン水９を中和する中和剤４４と、他方の側面に設けられた中和後のドレン水９を流出する流出口４５と、中和室５１内の中和剤４４が流出口４５から流出しないように流路を狭くした流出口スリット５５と、この流出口スリット５５から流出するドレン水９を受ける予備室４７と、この予備室４７からドレン水９を浴室床面２５に排出する排出口３８と、この排出口３８よりも上方に設けられた予備排出口３９と、中和容器１の幅方向における流入口４３と流出口４５との間に上下方向に設けられた仕切り壁４６とを有する。
【００５１】
図３に示すように、ドレン水９が中和容器１に到るまでの流路（壁貫通釜本体３内の内部ドレン配管７、または、外部ドレン配管３６、等）に排気ガスのトラップ６３が設けられている。図５に示すように、仕切り壁４６は、中和容器１の天部４０及び底部４１の手前まで到るように設けられる。中和剤４４の投入口４９は、天部４０の一部に、仕切り壁４６を跨ぐように開口４２を形成して設けられる。これにより、中和剤４４の投入口４９がひとつであっても、仕切り壁４６の両側に中和剤４４の投入が可能でメンテナンス作業をし易くすることができる。
【００５２】
図５、図７に示すように、流出口４５（スリット５２）の下流の予備室４７には、中後のドレン水９を浴室床面２５に流出させるための排出口３８が設けられるが、この排出口３８よりも高い位置に予備排出口３９を設ける。これにより、浴室床面２５上の水位が上昇し、中和容器１の排出口３８が塞がれても、ドレン水９の流れを妨げることがなく、異常と検出されたり、燃焼機器の運転に支障を及ぼすのを抑制することができる。
【００５３】
図５に示すように、予備排出口３９の上端は、流入口スリット５２の下端よりも低い位置となるように設ける。これにより、浴室床面２５上の水位が上昇し、中和容器１の排出口３８が塞がれた際にも、流入口スリット５２から中和室５１、流出口スリット５５を通り、予備排出口３９へ続くドレン水９の流れが、妨げられないようにすることができる。また、予備排出口３９は、予備室４７内に設ける。これにより、中和容器１の排出口３８が塞がれた際にも、ドレン水９は必ず流出口スリット５５を通るため、中和剤４４がドレン水９の流出を妨げることを抑制できる
【００５４】
図５、図７に示すように、排出口３８は、浴室床面２５から、約７０ｍｍの高さに設ける。これにより、中和後のドレン水９が排出口３８から浴室床面２５等に流出しても、滴下音を抑制することができ、使用者に不快感を与えるのを抑制することができる。
【図面の簡単な説明】
【００５５】
【図１】本発明の実施例である壁貫通釜の基本構成と動作原理を表わす模式図である。
【図２】本発明の実施例である壁貫通釜の設置例図であり、浴室洗い場側（浴槽の長手面）からの見たときの透視図である。
【図３】本発明の実施例である壁貫通釜の設置例図であり、浴槽の短手面からの見たときの透視図である。
【図４】本発明を壁掛けタイプの燃焼機器に適用した設置例図で、浴槽短手面から見たときの透視図を示す。
【図５】本発明の実施例である壁貫通釜に用いた中和容器の正面からみた断面図である。
【図６】本発明の実施例である壁貫通釜に用いた中和容器の流入口側の側面からみた流入口スリットを通る垂直断面図である。
【図７】本発明の実施例である壁貫通釜に用いた中和容器の排出口側の側面からみた透視図である。
【符号の説明】
【００５６】
１…中和容器、３…壁貫通釜本体（燃焼機器本体）、４…浴室壁、５…開口スペース、７…内部ドレン配管、８…二次熱交換器、９…ドレン水、１０…一次熱交換器、１１…バーナ、１２…給水配管、１３…給湯配管、１４…ガス配管、１５…風呂往き配管、１６…風呂戻り配管、１７…エプロン、１８…ドレン詰り検出部、２４…前カバー、２５…浴室床面、２７…給水配管接続部、２８…給湯配管接続部、２９…ガス配管接続部、３０…風呂往き配管接続部、３１…風呂戻り配管接続部、３２…ドレン配管接続部、３３…水量センサ、３４…排気口、３６…外部ドレン配管、３７…ドレン受け皿、３８…排出口、３９…予備排出口、４０…天部、４１…底部、４２…開口、４３…流入口、４４…中和剤（炭酸カルシウム）、４５…流出口、４６…仕切り壁、４７…予備室、４８…浴室、４９…投入口、５０…ドレン配管接続口、５１…中和室、５２…流入口スリット、５３…蓋取付け部、５４…蓋、５５…流出口スリット、５７…浴槽、５８…吸気口、５９…配管接続位置、６０…壁掛けタイプの燃焼機器、６１…循環金具、６２…排水口、６３…トラップ
【図１】
0005173367.tif 000002
【図２】
0005173367.tif 000003
【図３】
0005173367.tif 000004
【図４】
0005173367.tif 000005
【図５】
0005173367.tif 000006
【図６】
0005173367.tif 000007
【図７】
0005173367.tif 000008